(57)【要約】      （修正有）【課題】紙の一方の面に磁気的に情報を記録及び消去できる磁性記録層を設けることにより、該磁性記録層を有する部分ではマグネットペンで情報の記録及び消去の少なくともいずれかを容易に行え、紙部分では筆記用具で情報の半永久的な記録が行え、利便性が向上した光記録媒体用の磁性ジャケットの提供。【解決手段】光記録媒体に記録された内容に関する情報を視覚的に表示することができる光記録媒体用の磁性ジャケット１０であって、紙１と、紙１の一方の面の少なくとも一部に磁性記録層２を有してなり、磁性記録層２が少なくとも磁性粉含有マイクロカプセル４を含有する。【選択図】図２
2008269714.tif 000002
【特許請求の範囲】
【請求項１】
光記録媒体に記録された内容に関する情報を視覚的に表示することができる光記録媒体用の磁性ジャケットであって、
紙と、該紙の少なくとも一方の面の少なくとも一部に磁性記録層を有してなり、該磁性記録層が少なくとも磁性粉含有マイクロカプセルを含有することを特徴とする光記録媒体用の磁性ジャケット。
【請求項２】
磁性記録層を有する部分ではマグネットペンを用いて情報の記録及び消去の少なくともいずれかを行い、
紙部分では筆記用具を用いて情報の記録を行う請求項１に記載の光記録媒体用の磁性ジャケット。
【請求項３】
磁性粉含有マイクロカプセルの直径が２０μｍ〜１８０μｍである請求項１から２のいずれかに記載の光記録媒体用の磁性ジャケット。
【請求項４】
磁性粉含有マイクロカプセルの磁性記録層における含有量が、３０体積％〜６０体積％である請求項１から３のいずれかに記載の光記録媒体用の磁性ジャケット。
【請求項５】
磁性記録層の厚みが１００μｍ〜２５０μｍである請求項１から４のいずれかに記載の光記録媒体用の磁性ジャケット。
【請求項６】
磁性記録層上に透明保護層を有する請求項１から５のいずれかに記載の光記録媒体用の磁性ジャケット。
【請求項７】
光記録媒体が、書き換え型の光記録媒体である請求項１から６のいずれかに記載の光記録媒体用の磁性ジャケット。
【発明の詳細な説明】
【技術分野】
【０００１】
本発明は、光記録媒体に記録された内容に関する情報を書き換え表示可能な光記録媒体用の磁性ジャケットに関する。
【背景技術】
【０００２】
近年、光記録媒体（以下、「光ディスク」と称することもある）が急速に一般家庭に普及している。光ディスクの種類としては、音楽用ＣＤ、ＣＤ−ＲＯＭ、或いはＤＶＤ−ＲＯＭのようなに情報があらかじめ記録されているものの他、一度だけ書き込みが可能な追記型光ディスク、何度でも書き換えが可能な書き換え型光ディスクがあり、いずれも急速に普及している。
【０００３】
このような光ディスクに用いられるインデックスジャケットとして、例えば特許文献１には、全体又は一部が透過性フィルムからなるものが提案されている。また、特許文献２には、ディスクに記録された内容を表す情報及び画像をプリントした写真用印画紙からなるディスクケース用ジャケットが提案されている。
この場合、ＣＤ−Ｒ、ＤＶＤ＋Ｒ、ＤＶＤ−Ｒ等のように一度だけ記録した情報を半永久的に保存するタイプのメディアにおいては、記録情報に対応したタイトル等の文字を光記録媒体に添付してあるインデックスジャケットの内容に変更が無いので、形式的には問題は生じることはない。しかし、ＣＤ−ＲＷ、ＤＶＤ＋ＲＷ、ＤＶＤ−ＲＷ、ＤＶＤ−ＲＡＭ等の書き換え可能な光ディスクの場合、インデックスジャケットにタイトル等の情報を印字してしまうと、書き換えができないため、光ディスクに記録した内容に変更があった場合には、新たにジャケットを準備しなければならないという問題がある。
また、ジャケットに記録する情報には、光記録媒体に記録された内容に応じて、半永久に残しておきたいものと、書き換えが必要なものとがあり、記録する情報に応じて記録方法などを適宜選択できることが利便性を高める点から望まれている。
【０００４】
【特許文献１】特開平８−２３０９６６号公報
【特許文献２】特開２００４−２９５９９５号公報
【発明の開示】
【発明が解決しようとする課題】
【０００５】
本発明は、従来における前記諸問題を解決し、以下の目的を達成することを課題とする。即ち、本発明は、紙の一方の面に磁気的に情報を記録及び消去できる磁性記録層を設けることにより、光記録媒体に記録された内容に応じて、該磁性記録層を有する部分ではマグネットペンを用いて情報の記録及び消去の少なくともいずれかを容易に行え、紙部分では筆記用具を用いて、手軽に情報の半永久的な保存（長期間の保存）が可能となり、利便性が向上した光記録媒体用の磁性ジャケットを提供することを目的とする。
【課題を解決するための手段】
【０００６】
前記課題を解決するための手段としては、以下の通りである。即ち、
＜１＞  光記録媒体に記録された内容に関する情報を視覚的に表示することができる光記録媒体用の磁性ジャケットであって、
紙と、該紙の少なくとも一方の面の少なくとも一部に磁性記録層を有してなり、該磁性記録層が少なくとも磁性粉含有マイクロカプセルを含有することを特徴とする光記録媒体用の磁性ジャケットである。
該＜１＞に記載の光記録媒体用の磁性ジャケットにおいては、光記録媒体に記録された内容に応じて、該磁性記録層を有する部分ではマグネットペンを用いて情報の記録及び消去の少なくともいずれかを容易に行え、紙部分では筆記用具を用いて情報の半永久的な記録が行うことができ、利便性が向上する。
＜２＞  磁性記録層を有する部分ではマグネットペンを用いて情報の記録及び消去の少なくともいずれかを行い、
紙部分では筆記用具を用いて情報の記録を行う前記＜１＞に記載の光記録媒体用の磁性ジャケットである。
該＜２＞に記載の光記録媒体用の磁性ジャケットにおいては、磁性記録層に記入するペンはマグネットペンであり、大掛かりな記録装置を使用とせずに、光記録媒体に記録した情報を容易にインデックスジャケットへ書換え記入することが可能となる。
＜３＞  磁性粉含有マイクロカプセルの直径が２０μｍ〜１８０μｍである前記＜１＞から＜２＞のいずれかに記載の光記録媒体用の磁性ジャケットである。
該＜３＞に記載の光記録媒体用の磁性ジャケットにおいては、磁性記録層に用いる磁性粉含有マイクロカプセルの直径を規定することで磁性記録層自体を薄く形成することができ、それにより磁性ジャケットを容易にケース内へ挿入が可能となる。
＜４＞  磁性粉含有マイクロカプセルの磁性記録層における含有量が、３０体積％〜６０体積％である前記＜１＞から＜３＞のいずれかに記載の光記録媒体用の磁性ジャケットである。
該＜４＞に記載の光記録媒体用の磁性ジャケットにおいては、磁性記録層における磁性粉含有マイクロカプセルの含有量を３０体積％〜６０体積％にすることで磁性記録層に記録された情報のコントラストが向上する。
＜５＞  磁性記録層の厚みが１００μｍ〜２５０μｍである前記＜１＞から＜４＞のいずれかに記載の光記録媒体用の磁性ジャケットである。
＜６＞  磁性記録層上に透明保護層を有する前記＜１＞から＜５＞のいずれかに記載の光記録媒体用の磁性ジャケットである。
該＜６＞に記載の光記録媒体用の磁性ジャケットにおいては、磁性記録層上に透明保護層を設けることにより、マグネットペンの筆圧から磁性粉含有マイクロカプセルの破損がより効果的に防止できる。
＜７＞  光記録媒体が、書き換え型の光記録媒体である前記＜１＞から＜６＞のいずれかに記載の光記録媒体用の磁性ジャケットである。
【発明の効果】
【０００７】
本発明によると、従来における問題を解決することができ、紙の一方の面に磁気的に情報を記録及び消去できる磁性記録層を設けることにより、光記録媒体に記録された内容に応じて、該磁性記録層を有する部分ではマグネットペンを用いて情報の記録及び消去の少なくともいずれかを容易に行え、紙部分では筆記用具を用いて、手軽に情報の半永久的な保存（又は長期間の保存）が可能となり、利便性が向上した光記録媒体用の磁性ジャケットを提供することができる。
【発明を実施するための最良の形態】
【０００８】
本発明の光記録媒体用の磁性ジャケットは、光記録媒体に記録された内容に関する情報を視覚的に表示することができ、
前記磁性ジャケットは、紙と、該紙の少なくとも一方の面の少なくとも一部に磁性記録層を有してなり、透明保護層、更に必要に応じてその他の層を有してなる。
【０００９】
前記光記録媒体に記録された内容とは、ファイルやフォルダの内容、作成者名、作成年月日、更新年月日などが挙げられる。
また、前記磁性ジャケットに記録する情報としては、文字、記号、図形、画像、写真などが挙げられる。
本発明の磁性ジャケットにおいては、磁性記録層を有する部分ではマグネットペンを用いて情報の記録及び消去の少なくともいずれかを行い、紙部分では筆記用具を用いて情報の記録を行うことが好ましい。
前記マグネットペンとは、ペン先がインクの代わりにマグネットになっているものであり、市販品としては株式会社タカラ製のマグネットペンなどが挙げられる。
前記筆記用具としては、特に制限はなく、目的に応じて適宜選択することができ、例えば鉛筆、サインペン、ボールペン、マジックペン、万年筆、などが挙げられ、耐久性のある筆記用具を用いた場合には半永久的な保存（又は長期間の保存）が可能となる。
前記光記録媒体としては、特に制限はなく、目的に応じて適宜選択することができるが、書き換え型の光記録媒体が好ましく、例えばＣＤ−ＲＷ、ＤＶＤ＋ＲＷ、ＤＶＤ−ＲＷ、ＤＶＤ−ＲＡＭなどが挙げられる。
【００１０】
−紙−
前記紙としては、特に制限はなく、目的に応じて適宜選択することができ、例えば上質紙、古紙パルプ、再生紙、片艶紙、耐油紙、コート紙、アート紙、キャストコート紙、微塗工紙、樹脂ラミネート紙、などが挙げられる。
前記紙の厚みとしては、特に制限はなく、目的に応じて適宜選択することができ、３０μｍ〜１，０００μｍが好ましく、８０μｍ〜４００μｍがより好ましい。
【００１１】
−磁性記録層−
前記磁性記録層が、磁性粉含有マイクロカプセルを含有してなり、バインダー、更に必要に応じてその他の成分を含有してなる。
前記磁性記録層は、紙の一方の面の少なくとも一部、好ましくは全部に形成することができ、磁性記録層を紙の両面に設けることもできるが、少なくとも一部が紙であることが必要である。
【００１２】
前記磁性記録層は、マグネットペンを用い、磁気的に情報を記録及び消去することができる。この磁性記録層は、磁気的エネルギーの作用により、磁性粉含有マイクロカプセル内の微粒子（磁性粉）の配列が縦方向又は横方向に配向が変化する。
【００１３】
−磁性粉含有マイクロカプセル−
前記磁性粉含有マイクロカプセルとしては、鱗片状や六方晶等の磁性粉をマイクロカプセルに内包させたものである。磁性粉はマグネットペンにより磁化されたときに、マイクロカプセル内の鱗片状等の磁性粉の配列が縦方向から横方向に変わることで、背景となる支持基板あるいは放熱反射層の下面（表面）の色と、磁性粉含有マイクロカプセル内の磁性粉自体の表面の色とのコントラストの差によって、可視情報を表示するようにしたものである。
【００１４】
前記磁性粉含有マイクロカプセルの磁性粉としては、例えば酸化鉄、ニッケル、鉄−ニッケル、鉄−ニッケル−クロム等や、アルミニウム−コバルト合金、サマリウム−コバルト合金等を用いることができる。また、磁性粉としては、例えば、３００（Ｏｅ）エルステッド程度のものが、磁性粉の配向がしやすく、また、外部磁場（通常は、１５０（Ｏｅ）エルステッド以下）の影響を受けずにその配向を保持することができるので好ましい。
【００１５】
前記磁性粉含有マイクロカプセルの直径は、２０μｍ〜１８０μｍが好ましく、７０μｍ〜１２０μｍがより好ましい。前記直径が、２０μｍ未満であると、文字のコントラストが薄くなることがあり、１８０μｍを超えると、ジャケット自体が厚くなることで、ジャケット自動挿入機を用いてのケースへの挿入が困難(ケースへ入らない)となることがある。
【００１６】
前記磁性粉含有マイクロカプセルの前記磁性記録層における含有量は、３０体積％〜６０体積％が好ましく、４０体積％〜６０体積％がより好ましい。前記含有量が、３０体積％未満であると、文字のコントラストが薄くなることがあり、６０体積％を超えもコントラストに変化は見られない。
【００１７】
前記磁性粉含有マイクロカプセルは適宜合成したものであってもよいし、市販品を使用してもよい。該市販品としては、例えばケミテック株式会社製の磁性粉マイクロカプセルなどが挙げられる。
【００１８】
−バインダー−
前記バインダーは、磁性粉含有マイクロカプセルを固定するためのものであり、該バインダーとしては、特に制限はなく、目的に応じて適宜選択することができ、例えばアクリル樹脂、ポリビニルブチラール、ポリ酢酸ビニル、ポリプロピオン酸ビニル、ポリ酪酸ビニル、ポリウレタン、スチレン−ブタジエン共重合体、酢酸ビニル−エチレン共重合体、酢酸ビニル−塩化ビニル共重合体、ニトリルゴム、天然ゴム、ポリイソブチレンゴム等の樹脂で、ガラス転移温度（Ｔｇ）が０℃以下のものが好適に用いられる。
前記ガラス転移温度（Ｔｇ）が０℃以下のバインダーは接着性と柔軟性に優れるため、ブロッキング現象の発生を防止することができる。
【００１９】
前記磁性記録層には、前記磁性粉含有マイクロカプセル及びバインダー以外にも、更に必要に応じて、磁性粉含有マイクロカプセルを分散させるための分散剤としてポリアクリル酸塩、ポリメタクリル酸塩等のポリカルボン酸塩；カーボングラファイトのような帯電防止剤、ワックスのような滑剤、ポリエチレンオキサイドのような塗膜柔軟剤、その他消泡剤等の添加剤を含有させることができる。
【００２０】
前記磁性記録層の厚みは、１００μｍ〜２５０μｍが好ましく、１５０μｍ〜２００μｍがより好ましい。前記厚みが、１００μｍ未満であると、磁性記録層の厚さが不十分で文字のコントラストが薄くなることがあり、２５０μｍを超えると、磁性ジャケットの膜厚が厚くなり、ジャケット自動挿入機を用いてのケースへの挿入が困難(ケースへ入らない)となることがある。
【００２１】
−透明保護層−
前記透明保護層は、前記磁性記録層に可視情報を記録するためのマグネットペンの先端にかかる圧力から磁性粉含有マイクロカプセルを保護するために設けられる。
前記透明保護層の厚みは、１０μｍ〜３０μｍが好ましく、２０μｍ〜２５μｍがより好ましい。
前記透明保護層を形成する樹脂としては、紫外線硬化樹脂、ポリエチレンテレフタレート（ＰＥＴ）、ポリカーボネート（ＰＣ）などが好ましく、この場合、ＰＥＴ及びＰＣはフィルム状での使用が好ましい。
前記透明保護層の表面硬度は、鉛筆硬度Ｈより大きいことが効果的である。該透明保護層にそのような表面硬度をもたらすためには、例えばＰＥＴフィルムであればガラス転移温度（Ｔｇ）が７０℃以下で数平均分子量（Ｍｎ）が１，０００〜５，０００のＰＥＴ、ＰＣフィルムであればガラス転移温度（Ｔｇ）が１５０℃以下で数平均分子量（Ｍｎ）が１０，０００〜５０，０００のＰＣを用いるのが好ましい。
【００２２】
本発明の紙の一方の面に磁性記録層、及び透明保護層を有する磁性ジャケットを製造する方法としては、例えば、（１）磁性粉含有マイクロカプセルとバインダーを練りこんだ磁性記録層材料を透明保護層となるＰＥＴフィルムやＰＣフィルム（保護シート）上に、例えばスリットコート法で塗工して予め磁性記録層を形成しておき、これを紙の一方の面に貼り合せる方法、（２）紙の一方の面に磁性粉含有マイクロカプセルとバインダーを練りこんだ磁性記録層材料を塗布し、磁性記録層を形成し、該磁性記録層上に透明保護層となるＰＥＴフィルムやＰＣフィルムを貼り合せる方法、などが挙げられる。
【００２３】
図１は、本発明の磁性ジャケット１０の一例を示す平面図であり、図２は、図１のＡ−Ａ線での断面図である。
この磁性ジャケット１０は、紙１と、該紙１上に磁性記録層２と、該磁性記録層２上に透明保護層３とを有している。
磁性記録層２には磁性粉含有マイクロカプセル４が含有されており、磁気的エネルギーの作用により、磁性粉含有マイクロカプセル内の微粒子（磁性粉）の配列が縦方向又は横方向に配向が変化する。例えば、磁性粉はマグネットペンにより磁化されると、マイクロカプセル内の鱗片状等の磁性粉の配列が縦方向から横方向に変わることで、背景となる紙の色と、磁性粉含有マイクロカプセル内の磁性粉自体の表面の色とのコントラストの差によって、可視情報を表示することができる。
【００２４】
図３は、本発明の磁性ジャケット１０の一例を示す平面図であり、磁性記録層２を紙１上の半分に設けたものであり、この磁性記録層が設けられた部分が書き換え可能な記録部分となる。
なお、磁性記録層を設ける部分の大きさ、位置については、目的に応じて適宜選定することができる。
【００２５】
図４は、磁性記録層にマグネットペン１１を用いて情報を手書きしている状態を示し、図５は、磁性記録層に書き込まれた情報をマグネットペン１１を用いて消去している状態を表している。なお、図４及び図５は、磁性記録層に可視情報の記録及び消去の少なくともいずかを行うことの説明上、透明保護層３が省略されている。
磁性記録層に可視情報を記録するには、透明保護層３上からマグネットペンの情報記録側を走査させて情報を記録する。また、磁性記録層に書き込まれた可視情報を消去するには、マグネットペンの情報消去側（消去用マグネット）を走査させて情報を消去する。
また、図示を省略しているが、磁性ジャケットの磁性記録層を有しない紙側は、通常の筆記具を用いて、可視情報を自由に記録することができ、例えば、消去が困難なペンを用いて記録した場合には、半永久的に記録を残すことができる。
【実施例】
【００２６】
以下、本発明の実施例を説明するが、本発明は、これらの実施例に何ら限定されるものではない。
【００２７】
（実施例１）
ＤＶＤ＋ＲＷメディアのケースに添付される、紙の片面に磁性記録層を設けた縦１２０ｍｍ×横１２０ｍｍの磁性ジャケットを以下のようにして作製した。
まず、厚み１２０μｍの紙（コート紙）上に、直径１００μｍ前後の磁性粉含有マイクロカプセル（ケミテック株式会社製）と、バインダー（アクリル樹脂）とを含む材料を塗布し、厚み１５０μｍの磁性記録層を形成した。なお、磁性記録層中における磁性粉含有マイクロカプセルの含有量は４２体積％であった。
次に、磁性記録層上に透明保護層として、厚み２０μｍのポリエチレンテレフタレート（ＰＥＴ）フィルム（ガラス転移温度（Ｔｇ）＝７０℃、数平均分子量＝２，０００）を接着剤（ダイキュアクリアＳＤ−４０３５、大日本インキ化学工業株式会社製）を用いて貼り付けた。以上により、実施例１の磁性ジャケットを作製した。
【００２８】
（実施例２）
実施例１において、ＰＥＴフィルムに代えて、厚み２０μｍのポリカーボネート（ＰＣ）フィルム（ガラス転移温度（Ｔｇ）＝１５０℃、数平均分子量＝１，５００）を使用した以外は、実施例１と同様にして、実施例２の磁性ジャケットを作製した。
【００２９】
（実施例３）
実施例１において、図３に示すように、紙の一方の面の半分に磁性記録層を設けた以外は、実施例１と同様にして、実施例３の磁性ジャケットを作製した。
【００３０】
（実施例４）
実施例１において、磁性記録層中における磁性粉含有マイクロカプセルの含有量を２５体積％とした以外は、実施例１と同様にして、実施例４の磁性ジャケットを作製した。
【００３１】
＜ケースへの挿入性の評価＞
実施例１及び２の磁性ジャケットについて、表１に示すように磁性記録層の厚みを変えて、ＤＶＤ＋ＲＷメディアのケースへの挿入のし易さを評価した。結果を表１に示す。
【００３２】
【表１】
2008269714.tif 000003
表１の結果から、磁性ジャケットの磁性記録層の厚みが１５０μｍ〜２００μｍであると容易にケース内へ挿入できることが分かった。
【００３３】
＜書き換え性の評価＞
従来の紙製のジャケットは通常の筆記具を用いて情報を記録できるだけであるのに対して、実施例１〜４の磁性ジャケットは、磁性記録層を有する部分ではマグネットペンを用いて情報の記録及び消去の少なくともいずれかを容易に行え、紙部分では通常の筆記用具を用いて情報の半永久的な記録が行うことができ、利便性が向上した。
【００３４】
＜コントラスト性の評価＞
実施例１と実施例４の磁性ジャケットについて、磁性記録層に記録された文字情報のコントラスト（鮮明度、識別性）を評価したところ、磁性粉含有マイクロカプセルの含有量が２５体積％と少ない実施例４は、実施例１に比べて文字情報のコントラストがやや劣るものであった。
【産業上の利用可能性】
【００３５】
本発明の光記録媒体用の磁性ジャケットは、光記録媒体に記録された内容に応じて、該磁性記録層を有する部分ではマグネットペンを用いて情報の記録及び消去の少なくともいずれかを容易に行え、紙部分では筆記用具を用いて情報の半永久的な記録が行うことができ、利便性が向上するので、例えばＣＤ、ＣＤ−ＲＯＭ、或いはＤＶＤ−ＲＯＭ、ＣＤ−Ｒ、ＤＶＤ＋Ｒ、ＤＶＤ−Ｒ、ＣＤ−ＲＷ、ＤＶＤ＋ＲＷ、ＤＶＤ−ＲＷ、ＤＶＤ−ＲＡＭ等の各種光記録媒体に幅広く用いることができ、特にＤ−ＲＷ、ＤＶＤ＋ＲＷ、ＤＶＤ−ＲＷ、ＤＶＤ−ＲＡＭ等の書き換え可能な光記録媒体に好適である。
【図面の簡単な説明】
【００３６】
【図１】図１は、本発明の磁性ジャケットの一例を示す平面図である。
【図２】図２は、図１のＡ−Ａ線での概略断面図である。
【図３】図３は、本発明の磁性ジャケットの他の一例を示す平面図である。
【図４】図４は、本発明の磁性ジャケットにマグネットペンで情報を記録する様子を示す図である。
【図５】図５は、本発明の磁性ジャケットにマグネットペンで情報を消去する様子を示す図である。
【符号の説明】
【００３７】
１      紙
２      磁性記録層
３      透明保護層
４      磁性粉含有マイクロカプセル
１０      磁性ジャケット
１１      マグネットペン
【図２】
2008269714.tif 000004
【図１】
2008269714.tif 000005
【図３】
2008269714.tif 000006
【図４】
2008269714.tif 000007
【図５】
2008269714.tif 000008